(57)【要約】      （修正有）【課題】遊びやすさを向上させる自動腰締めウエストベルトを提供する。【解決手段】自動腰締めウエストベルトは、腰に巻き付けられることができる固定レール１と、固定レールの一端に固定して接続され、固定レールの頭部と尾部の端部を固定して接続するためのレール固定ヘッド２と、取り外し可能にレール固定ヘッドに接続され、装飾模様が設けられるベルトボックス３と、ベルトボックス内に巻き付けられ、固定レールに摺動して接続されるウエストベルト４と、ベルトボックス内に固定して接続され、ウエストベルトが固定レールに沿って摺動するように駆動するための駆動ユニットと、を備え、使用時に、駆動ユニットがウエストベルトを駆動して固定レールに沿って移動させることができ、腰ベルトが自動的に腰を締める効果をシミュレートする。【選択図】図１
0003233930.tif 000002
【実用新案登録請求の範囲】
【請求項１】
自動腰締めウエストベルトであって、前記自動腰締めウエストベルトは、
腰に巻き付けられることができる固定レールと、
前記固定レールの一端に固定して接続され、前記固定レールの頭部と尾部の端部を固定して接続するためのレール固定ヘッドと、
取り外し可能に前記レール固定ヘッドに接続され、装飾模様が設けられるベルトボックスと、
前記ベルトボックス内に巻き付けられ、前記固定レールに摺動して接続されるウエストベルトと、
前記ベルトボックス内に固定して接続され、前記ウエストベルトが前記固定レールに沿って摺動するように駆動するための駆動ユニットと、
を備えることを特徴とする、自動腰締めウエストベルト。
【請求項２】
前記固定レールの外側にＴ字型のレール溝が設けられ、前記ウエストベルトにＴ字型のウエストベルトレールが設けられ、前記ウエストベルトは前記固定レールに沿って摺動する場合、前記ウエストベルトレールが前記レール溝内に設けられることを特徴とする、請求項１に記載の自動腰締めウエストベルト。
【請求項３】
前記固定レールの内側に、第１のレールがさらに設けられ、前記第１のレールが前記固定レール内に沿って摺動可能であることを特徴とする、請求項２に記載の自動腰締めウエストベルト。
【請求項４】
前記レール固定ヘッドに前記固定レールを固定する固定軸が設けられ、前記固定軸は前記レール固定ヘッドにねじで接続され、前記固定レールに固定穴が設けられ、前記レール固定ヘッドが前記固定レールを固定する場合、前記固定軸は前記固定穴を貫通することを特徴とする、請求項１に記載の自動腰締めウエストベルト。
【請求項５】
前記レール固定ヘッドの外側に第１の磁性シートが設けられ、前記ベルトボックスに第２の磁性シートが設けられ、前記第１の磁性シートと前記第２の磁性シートは互いに引き合うことを特徴とする、請求項１に記載の自動腰締めウエストベルト。
【請求項６】
前記駆動ユニットは、
前記ベルトボックス内に回転して接続され、前記ウエストベルトが巻き付けられる巻き付け軸と、
前記ベルトボックス内に固定して接続され、ローラーが固定して接続され、前記ウエストベルトが前記ローラーに転がるように接続され、前記ローラーの回転を連動する駆動モータと、
を備えることを特徴とする、請求項１−５のいずれかに記載の自動腰締めウエストベルト。
【請求項７】
前記ローラーは両端に開口が設置された円筒形であり、前記ローラーの外側に駆動歯が設けられ、前記ウエストベルトに駆動穴が設けられ、前記ローラーが前記ウエストベルトに接触される場合、前記駆動歯は前記駆動穴内に設けられることを特徴とする、請求項６に記載の自動腰締めウエストベルト。
【請求項８】
前記駆動ユニットは、前記ベルトボックス内に固定して接続されるバッテリー、及び前記ベルトボックスに固定して接続される制御スイッチをさらに備え、前記バッテリー及び前記制御スイッチは前記駆動モータに電気的に接続されることを特徴とする、請求項６に記載の自動腰締めウエストベルト。
【請求項９】
前記駆動ユニットは、前記巻き付け軸に固定して接続され、前記巻き付け軸から離れる一端は前記固定レールに固定して接続されるスクロールスプリングをさらに備えることを特徴とする、請求項６に記載の自動腰締めウエストベルト。
【請求項１０】
前記自動腰締めウエストベルトは、前記ベルトボックス内に固定して接続され、前記ウエストベルトの前記巻き付け軸から離れる一端を前記ベルトボックス内に固定するための固定ユニットをさらに備えることを特徴とする、請求項１に記載の自動腰締めウエストベルト。
【考案の詳細な説明】
【技術分野】
【０００１】
本考案は、おもちゃの分野に関し、特に自動腰締めウエストベルトに関する。
【背景技術】
【０００２】
おもちゃとは、遊ぶためのものを指し、おもちゃを遊ぶことは、人間の社会ではエデュテインメントとする場合が多い。手作りの自動腰締めウエストベルトは、おもちゃの一種であり、二次元文化の人気に伴い、アニメの周辺おもちゃはますますプレイヤーに人気がある。
【０００３】
生活用品であるウエストベルトは、ほとんどの人が装着しているが、現在、腰を締める役割として機能する場合が多く、遊びやすさが低いため、本出願は、自動腰締めウエストベルトを提案する。
【考案の概要】
【０００４】
本考案は、従来のウエストベルトの遊びやすさが低い問題を解決するように、自動腰締めウエストベルトを提供することを目的とする。
【０００５】
上記の目的を達成するために、本考案は、以下のような技術的手段を提供する。
自動腰締めウエストベルトであって、前記自動腰締めウエストベルトは、
腰に巻き付けられることができる固定レールと、
前記固定レールの一端に固定して接続され、前記固定レールの頭部と尾部の端部を固定して接続するためのレール固定ヘッドと、
取り外し可能に前記レール固定ヘッドに接続され、装飾模様が設けられるベルトボックスと、
前記ベルトボックス内に巻き付けられ、前記固定レールに摺動して接続されるウエストベルトと、
前記ベルトボックス内に固定して接続され、前記ウエストベルトが前記固定レールに沿って摺動するように駆動するための駆動ユニットと、を備える。
【０００６】
さらに、前記固定レールの外側にＴ字型のレール溝が設けられ、前記ウエストベルトにＴ字型のウエストベルトレールが設けられ、前記ウエストベルトは前記固定レールに沿って摺動する場合、前記ウエストベルトレールが前記レール溝内に設けられる。
【０００７】
さらに、前記固定レールの内側に、第１のレールがさらに設けられ、前記第１のレールが前記固定レール内に沿って摺動可能である。
【０００８】
さらに、前記レール固定ヘッドに前記固定レールを固定する固定軸が設けられ、前記固定軸は前記レール固定ヘッドにねじで接続され、前記固定レールに固定穴が設けられ、前記レール固定ヘッドが前記固定レールを固定する場合、前記固定軸は前記固定穴を貫通する。
【０００９】
さらに、前記レール固定ヘッドの外側に第１の磁性シートが設けられ、前記ベルトボックスに第２の磁性シートが設けられ、前記第１の磁性シートと前記第２の磁性シートは互いに引き合う。
【００１０】
さらに、前記駆動ユニットは、
前記ベルトボックス内に回転して接続され、前記ウエストベルトが巻き付けられる巻き付け軸と、
前記ベルトボックス内に固定して接続され、ローラーが固定して接続され、前記ウエストベルトが前記ローラーに転がるように接続され、前記ローラーの回転を連動する駆動モータと、を備える。
【００１１】
さらに、前記ローラーは両端に開口が設置された円筒形であり、前記ローラーの外側に駆動歯が設けられ、前記ウエストベルトに駆動穴が設けられ、前記ローラーが前記ウエストベルトに接触される場合、前記駆動歯は前記駆動穴内に設けられる。
【００１２】
さらに、前記駆動ユニットは、
前記ベルトボックス内に固定して接続されるバッテリー、及び前記ベルトボックスに固定して接続される制御スイッチをさらに備え、前記バッテリー及び前記制御スイッチは前記駆動モータに電気的に接続される。
【００１３】
さらに、前記駆動ユニットは、
前記巻き付け軸に固定して接続され、前記巻き付け軸から離れる一端は前記固定レールに固定して接続されるスクロールスプリングをさらに備える。
【００１４】
さらに、前記自動腰締めウエストベルトは、
前記ベルトボックス内に固定して接続され、前記ウエストベルトの前記巻き付け軸から離れる一端を前記ベルトボックス内に固定するための固定ユニットをさらに備える。
【００１５】
以上のように、本考案は従来の技術と比べて、以下のような有益な効果を有する。
本考案は、使用時に、駆動ユニットが前記ウエストベルトを駆動して前記固定レールに沿って移動させることができ、これにより腰ベルトが自動的に腰を締める効果をシミュレートし、ウエストベルトの遊びやすさを向上させる。
【００１６】
本考案はまた、異なる腰囲のプレイヤーにも適用できる。
【図面の簡単な説明】
【００１７】
【図１】本考案の構造模式図である。
【図２】本考案におけるレール断面の構造模式図である。
【図３】本考案におけるウエストベルト本体の構造模式図である。
【図４】本考案におけるウエストベルト本体の断面の構造模式図である。
【図５】本考案におけるローラーの構造模式図である。
【考案を実施するための形態】
【００１８】
以下、本考案の実施例における図面を参照して、本考案の実施例における技術的手段を明らかで、完全に説明し、勿論、説明された実施例は、全部の実施例ではなく、本考案の一部の実施例だけであり、本考案における実施例に基づいて、当業者は、創造的な労働をせずに得られたすべての他の実施例は、いずれも本考案が保護する範囲に属する。
【００１９】
図１及び図２に示すように、本考案の一実施例による自動腰締めウエストベルトであり、前記自動腰締めウエストベルトは、
腰に巻き付けられることができるとともに、リミット軌跡を提供するために使用され、使用時、プレイヤーの腰に巻き付けられる固定レール１と、
前記固定レール１の一端に固定して接続され、前記固定レール１の頭部と尾部の端部を固定して接続するためのレール固定ヘッド２と、
取り外し可能に前記レール固定ヘッド２に接続され、装飾模様が設けられるベルトボックス３と、
前記ベルトボックス３内に巻き付けられ、前記固定レール１に摺動して接続されるウエストベルト４と、
前記ベルトボックス３内に固定して接続され、前記ウエストベルト４が前記固定レール１に沿って摺動するように駆動するための駆動ユニットと、を備える。
【００２０】
本考案を使用する際に、前記固定レール１をプレイヤーの腰に固定して接続し、前記ベルトボックス３を前記レール固定ヘッド２に押し付けて、前記駆動ユニットを制御して起動させ、前記駆動ユニットは前記ウエストベルト４を駆動して前記固定レール１に摺動させ、前記固定レール１が腰に巻き付けられるため、前記ウエストベルト４が前記固定レール１に沿って摺動する場合、前記ウエストベルト４が自動的に腰を締める効果を達成し、それにより、ウエストベルトの遊びやすさを向上させることができる。
【００２１】
いくつかの例において、前記固定レール１と前記ウエストベルト４はいずれも弾性材料であるため、前記固定レール１を腰に貼り合うことができ、前記ウエストベルト４をベルトボックス３内に巻き付けることができると同時に、前記固定レール１に沿って摺動させることができる。
【００２２】
前記レール固定ヘッド２は両端に開口が設置されたフラット円筒形であり、いくつかの例において、前記レール固定ヘッド２はネジまたはリベットで前記固定レール１の一端に固定して接続される。
【００２３】
図２及び図３を参照し、前記固定レール１の外側にＴ字型のレール溝１１が設けられ、前記ウエストベルト４にＴ字型のウエストベルトレール４２が設けられ、前記ウエストベルト４が前記固定レール１に沿って摺動する場合、前記ウエストベルトレール４２は前記レール溝１１内に設けられ、それにより、前記固定レール１は前記ウエストベルト４をリミットする役割を果たす。
【００２４】
いくつかの例において、前記固定レール１の外側にＴ字型の軌道が設けられてもよく、前記ウエストベルト４にＴ字型の溝が設けられ、前記Ｔ字型の溝は前記Ｔ字型の軌道に套設され、それにより、前記固定レール１は前記ウエストベルト４をリミットする役割を果たす。
【００２５】
本考案の一実施例において、前記レール固定ヘッド２に前記固定レール１を固定する固定軸２１が設けられ、前記固定軸２１は前記レール固定ヘッド２にねじで接続され、前記固定レール１に固定穴が設けられ、前記レール固定ヘッド２が前記固定レール１を固定する場合、前記固定軸２１は前記固定穴を貫通する。
【００２６】
いくつかの例において、前記固定穴は前記固定レール１の長辺に沿って均一に分布され、前記固定軸２１を異なる固定穴内に挿入することによって前記固定レール１がループ形状を形成する長さを調整することができ、それにより、前記固定レール１は異なる腰囲のプレイヤーに適用できる。
【００２７】
いくつかの例において、前記固定軸２１は前記レール固定ヘッド２に摺動して接続されてもよく、前記固定軸２１と前記レール固定ヘッド２とは減衰接続される。
【００２８】
本考案の一実施例において、前記レール固定ヘッド２の外側に第１の磁性シートが設けられ、前記ベルトボックス３に第２の磁性シートが設けられ、前記レール固定ヘッド２は前記ベルトボックス３に磁気的に接続され、それにより、前記レール固定ヘッド２と前記ベルトボックス３とは取り外し可能に接続され、前記第１の磁性シートと前記第２の磁性シートとは互いに引き合う。
【００２９】
いくつかの例において、前記レール固定ヘッド２と前記ベルトボックス３とはベルクロ（登録商標）で接続されてもよい。
【００３０】
本考案の一実施例において、前記固定レール１の内側に第１のレール１２がさらに設けられ、前記第１のレール１２は前記固定レール１内に沿って摺動可能であり、前記固定レール１の頭部と尾部を接続した後、前記レール溝１１は前記第１のレール１２をリミットすることができる。
【００３１】
本考案の一実施例において、前記駆動ユニットは、
前記ベルトボックス３内に回転して接続され、前記ウエストベルト４が巻き付けられる巻き付け軸５と、
前記ベルトボックス３内に固定して接続され、ローラー６が固定して接続され、前記ウエストベルト４が前記ローラー６に転がるように接続され、前記ローラー６の回転を連動する駆動モータ７と、を備える。
【００３２】
前記駆動ユニットを起動する場合、前記駆動モータ７を通電することによって、前記駆動モータ７の通電後で前記ローラー６の回転を連動し、前記ローラー６が回転する場合、前記ウエストベルト４が前記ベルトボックス３内から伸び出すことを連動するとともに、前記ウエストベルト４を前記固定レール１に沿って摺動して接続させる。
【００３３】
図３及び図５を参照し、本実施例における一好ましい形態として、前記ローラー６は両端に開口が設置された円筒形であり、前記ローラー６の外側に駆動歯６１が設けられ、前記ウエストベルト４に駆動穴４１が設けられ、前記ローラー６が前記ウエストベルト４に接触される場合、前記駆動歯６１が前記駆動穴４１内に設けられ、前記駆動穴４１と前記駆動歯６１を設けることによって、前記ウエストベルト４と前記ローラー６の滑りを防止する。
【００３４】
本考案の一実施例において、前記駆動ユニッは、
前記ベルトボックス３内に固定して接続されるバッテリー、及び前記ベルトボックス３に固定して接続される制御スイッチをさらに備え、前記バッテリー、前記制御スイッチ及び前記駆動モータ７はワイヤを介して電気的に接続される。
【００３５】
前記駆動モータ７を制御して起動させる場合、前記制御スイッチを押して、前記バッテリーが前記駆動モータ７に給電し、前記駆動モータ７を通電して起動させる。
【００３６】
本考案の一実施例において、前記駆動ユニットは、
前記巻き付け軸５に固定して接続され、前記巻き付け軸５から離れる一端が前記固定レール１に固定して接続され、前記ウエストベルト４の戻りを連動するためのスクロールスプリングをさらに備え、前記ローラー６と前記固定レール１とは減衰接続される。
【００３７】
本考案の一実施例において、前記ベルトボックス３内に前記ウエストベルト４をリミットする駆動穴４１がさらに設けられ、前記リミット仕切り板３１は前記ウエストベルト４の軌跡に設けられるとともに、前記ベルトボックス３内で前記ウエストベルト４をリミットする軌道溝が形成される。
【００３８】
本考案の一実施例において、前記自動腰締めウエストベルトは、
前記ベルトボックス３内に固定して接続され、前記ウエストベルト４の前記巻き付け軸５から離れる一端を前記ベルトボックス３内に固定するための固定ユニット８と、
前記ベルトボックス３内に固定して接続され、前記固定ユニット８に電気的に接続される制御スイッチと、をさらに備える。
【００３９】
いくつかの例において、前記固定ユニット８は電磁石であり、前記固定ユニット８内の鉄芯は前記固定ユニット８に摺動して接続され、前記ウエストベルト４の前記巻き付け軸５から離れる一端が前記ベルトボックス３内に挿入される場合、前記制御スイッチは前記固定ユニット８の起動を制御し、前記固定ユニット８内の鉄芯が磁気を生成して前記ベルトボックス３に吸着し、前記電磁石上の鉄芯が前記ウエストベルト４を貫通して前記ウエストベルト４を固定する。
【００４０】
いくつかの例において前記固定ユニット８は電動パターであってもよい。
【００４１】
前記制御スイッチは近接スイッチまたはボタンであり、前記固定ユニット８はワイヤを介してバッテリーに電気的に接続される。
【００４２】
本考案の実施例を示して説明したが、当業者にとって、本考案の原理と精神から逸脱せずに、これらの実施例に対して様々な変化、修正、置換及び変形を行うことができ、本考案の範囲は添付の請求の範囲及びその同等物によって限定されることを理解することができる。
【符号の説明】
【００４３】
１−固定レール
１１−レール溝
１２−第１のレール
２−レール固定ヘッド
２１−固定軸
３−ベルトボックス
３１−リミット仕切り板
４−ウエストベルト
４１−駆動穴
４２−ベルトレール
５−巻き付け軸
６−ローラー
６１−駆動歯
７−駆動モータ
８−固定ユニット  
【図１】
0003233930.tif 000003
【図２】
0003233930.tif 000004
【図３】
0003233930.tif 000005
【図４】
0003233930.tif 000006
【図５】
0003233930.tif 000007